(57)【特許請求の範囲】
【請求項１】
移植装置の前方に、覆土アーム(54)に取付けた溝切り板(51)を配設するとともに、同溝切り板(51)の上方に、先端部にシャッター装置(52)を設けた薬剤供給用ホース(53)を配設し、さらに、前記溝切り板(51)の背部に、薬剤供給用ホース(53)から落下する薬剤(E) を前記溝切り板(51)により形成された溝(H) 内に案内する散布ガイド部(63)を形成したことを特徴とする野菜移植機。
【発明の詳細な説明】
【０００１】
【発明の属する技術分野】
この発明は、苗移植と施薬とを同時に行う野菜移植機に関するものである。
【０００２】
【従来の技術】
従来、苗移植と施薬とを同時に行えるようにした野菜移植機はなく、野菜を移植する際には、先ず、別途用意した施薬機などにより圃場へ薬剤散布を行い、その後、野菜移植機を用いて苗を植えつけていた。
【０００３】
通常、野菜移植機にはホッパ形の苗植付爪が配設されており、同苗植付爪は、開閉自在に分割された一対の爪体から構成されている。
【０００４】
かかる苗植付爪は、苗取出装置から苗の供給を受けて下降して土中に突入して穿孔するとともに、最下点付近から爪体を開いて苗を落とし圃場に植付ける構成となっている。
【０００５】
【発明が解決しようとする課題】
ところが、上記したように、薬剤は圃場表面に散布されているだけなので、薬剤散布を行った後に上記構成の野菜移植機を用いて苗移植を行うと、苗植付爪が苗を放出するために爪体を土中で開く際に、散布してあった薬剤をはね飛ばしてしまい、肝心な苗の根元に薬剤が残らなくなって薬効が薄れてしまうという課題が残されている。これでは、薬剤をいたずらに消費してしまうことになり、かかる課題の解決が急務となっている。
【０００６】
本発明は、上記課題を解決することのできる野菜移植機を提供することを目的としている。
【０００７】
【課題を解決するための手段】
本発明は、移植装置の前方に、覆土アームに取付けた溝切り板を配設するとともに、同溝切り板の上方に、先端部にシャッター装置を設けた薬剤供給用ホースを配設し、さらに、前記溝切り板の背部に、薬剤供給用ホースから落下する薬剤を前記溝切り板により形成された溝内に案内する散布ガイド部を形成したことを特徴とする野菜移植機に係るものである。
【０００８】
【発明の実施の形態】
この発明の実施の形態を図面に基づき以下に説明する。
【０００９】
図１は本発明に係る野菜移植機Ｙの側面図、図２は同野菜移植機Ｙの平面図である。
【００１０】
図１に示すように、野菜移植機Ｙは、ベースフレーム１の前方上部にエンジン２を搭載するとともに、同エンジン２に伝動ベルト3aで連動する発電機３を搭載している。
【００１１】
また、エンジン２の後方にミッションケース４を配設し、同ミッションケース４には、左右伝動ケース5,5 を上下揺動可能に支持するとともに、同左右伝動ケース5,5 に左右の駆動輪となる後輪6,6 を取付けている。
【００１２】
また、前記ベースフレーム１の前部に、左右支持軸7a,7b を介して左右のアクスルフレーム7,7 を上下揺動可能に支持するとともに、同アクスルフレーム7,7 に左右の前輪8,8 を取付けている。９は畝Ｇに沿って転動する一対のガイド輪であり、前記支持軸7a,7b に遊転可能に支持されている。
【００１３】
さらに、ベースフレーム１の後端には、中間フレーム11を介して後部フレーム12を連設しており、同後部フレーム12上であって、前記ミッションケース４の後方に苗載台13を具備する苗供給装置Ａを配設するとともに、左右の後輪6,6 の間には苗植付装置Ｂを配設し、さらに、同苗植付装置Ｂの上方には、苗取出爪37を具備する苗取出装置Ｃを配設している。
【００１４】
これら苗供給装置Ａ、苗植付装置Ｂ、苗取出装置Ｃで移植装置を構成し、苗を苗供給装置Ａの苗トレイ14から苗取出装置Ｃにより取出して苗植付装置Ｂに供給して畝Ｇに移植するようにしている。
【００１５】
なお、図１中、15は前記苗植付装置Ｂの下方に設けた覆土輪、16は後部フレーム12の後端に連設した操向ハンドル、17は主変速レバー18や株間変速レバー19を支持する操作盤、20は植付深さ調節レバー、21は左右サイドクラッチレバー、22は昇降レバー、23は植付クラッチレバーであり、同レバー23の操作によって移植装置へのエンジン２からの動力の伝達を入切り操作可能としている。
【００１６】
ここで、移植装置についてさらに詳述する。
【００１７】
苗供給装置Ａは、前記苗載台13の他、同苗載台13の左側に配設した縦送りチェーン24等からなる苗縦送り機構25と、苗載台13の後部に配設した搬送軸26等からなる苗載台横送り機構27とを具備して苗載台13を左右往復可能に構成するとともに、苗載台13の左右移動終端時に、同苗載台13に載置した苗トレイ14の縦送りを行うように構成している。なお、苗載台横送り機構27は、苗載台13の右側に配設した横送り駆動ケース29に連動連結している。
【００１８】
苗植付装置Ｂは、ミッションケース４に植付伝動ケース30を介して取付けており、開閉自在な分割された爪体31a,31b からなるホッパ形の植付爪31を具備している。
【００１９】
苗取出装置Ｃは、苗取出爪37を具備しており、同苗取出爪37により、上記苗供給装置Ａの左右往復移動する苗載台13上の苗トレイ14から１株分のポット苗ａを取出し、この取り出したポット苗ａを、苗植付装置Ｂの植付爪31に放出供給し、操向ハンドル16の操作による機体の走行中に、畝Ｇに一定間隔毎にポット苗ａの移植を行うようにしている。
【００２０】
上記した苗供給装置Ａ、苗植付装置Ｂ、苗取出装置Ｃの駆動は、エンジン２からの出力によるものである。
【００２１】
すなわち、図２に示すように、ミッションケース４の上方に、図示しない植付クラッチを内蔵する植付クラッチケース38を配設し、ミッションケース４の出力軸4aに無段変速ベルト39と変速プーリ40とを介して植付クラッチケース38の入力軸38a とを連動連結している。
【００２２】
植付クラッチケース38の出力軸38b には、第一伝達チェーン42を介してカウンター軸43を回転自在に連結するとともに、同カウンター軸43は第二伝達チェーン44を介して、前記横送り駆動ケース29の入力軸29a に連動連結している。
【００２３】
また、上記第一伝達チェーン42を介して、植付クラッチケース38の出力軸38b に苗取出爪駆動軸45を連動連結し、同駆動軸45により苗取出爪37を作動させるようにしている。
【００２４】
上記構成の野菜移植機Ｙにおいて、本発明の要旨となるのは、苗移植と同時に施薬を行えるようにした施薬装置Ｆを設けたことにあり、同施薬装置Ｆは、移植装置の前方に、覆土アーム54に取付けた溝切り板51を配設するとともに、同溝切り板51の上方に、先端部にシャッター装置52を設けた薬剤供給用ホース53を配設し、さらに、前記溝切り板51の背部に、薬剤供給用ホース53から落下する薬剤Ｅを前記溝切り板51により形成された溝Ｈ内に案内する散布ガイド部63を形成したことに特徴を有する。
【００２５】
すなわち、図３に示すように、施薬装置Ｆは、植付爪31の前方位置において、後端部に覆土輪15を支持する覆土アーム54に、畝Ｇに溝Ｈを形成する溝切り板51を連設するとともに、同溝切り板51の上方に、図示しない薬剤タンクに一端を連通連結した薬剤供給用ホース53を配設し、同薬剤供給用ホース53の終端に開閉自在なシャッター装置52を取付け、薬剤供給用ホース53から供給される薬剤Ｅをシャッター装置52の開動作により溝切り板51に落下させるように構成している。
【００２６】
したがって、薬剤Ｅは、前記溝切り板51により畝Ｇに作られた溝Ｈ内に撒かれることになり、薬剤Ｅが撒かれたところへ、植付爪31によりポット苗ａが移植され、覆土輪15によって覆土されることになる。
【００２７】
溝切り板51は、覆土アーム54に連設しているので、覆土輪15と同様に上下動して植付爪31の土中への突入深さに連動している。したがって。ポット苗ａに対して一様な深さで溝Ｈを切ることができる。また、薬剤供給用ホース53の下端開口は絞られた小孔状に形成して適量散布を可能としている。
【００２８】
上記シャッター装置52は、植付伝動ケース30の出力軸である植付爪駆動軸55にに取付けたカム56により、植付爪31の上下揺動運動に同調させて薬剤供給用ホース53の下端開口を開閉可能に構成している。
【００２９】
すなわち、植付伝動ケース30の近傍に設けたブラケット57に、一端にローラ58を回動自在に取付け、他端には弁体59を内装するガイド筒60を連設したクランク61の中途を枢支し、かつ、同クランク61と前記ブラケット57との間にスプリング62を介在させて、クランク61を、前記弁体59が薬剤ホース53の下端開口を開く方向、すなわち、図３において時計方向に付勢した状態に保持している。
【００３０】
また、この実施の形態におけるカム56は、円板の外周面に、略連続する２個所の凹部56a,56b を形成したものとしており、前記クランク61のローラ58は、凹部56a,56b 以外の個所ではスプリング62に抗して弁体59を閉じる方向に押されているが、凹部56a,56b においてスプリング62により弁体59が開く方向引かれて薬剤供給用ホース53の下端開口が開き、薬剤Ｅは、ガイド筒60内を通って溝切り板51に落下する。この場合、弁体59は略同時に２度開閉することになり、薬剤供給用ホース53の下端開口の径との関係から所望する薬剤Ｅの散布量を得られるようにしている。
【００３１】
また、図４に示すように、溝切り板51の背部には、薬剤Ｅを受け止めるとともに、同薬剤Ｅを溝切り板51により形成された溝Ｈ内に案内する散布ガイド部63を設けているので、薬剤Ｅは円滑に溝Ｈ内に散布される。そして、薬剤Ｅが散布された個所に移植爪31が突入してポット苗ａを植付けるようにしている。
【００３２】
散布ガイド部63は、図４に示すように、樋状に形成され、下方にいくにしたがって漸次狭幅に形成している。また、同散布ガイド部63は、その中心線と植付爪31の中心とが一致するように位置させており、かつ、一点鎖線で示した円Ｘの位置に薬剤供給用ホース53の先端を位置させている。すなわち、植付爪31、溝切り板51、施薬装置Ｆは略同一直線上に配置されていることになる。なお、64は溝切り板51の支持杆である。
【００３３】
ここで、図５を参照しながら、施薬装置Ｆの実際の作動について説明する。
【００３４】
図５(a) は、野菜移植機Ｙによる苗移植作業が開始された直後を示しており、溝切り板51が土中に入って畝Ｇに溝Ｈを形成している。また、このときには施薬装置Ｆのシャッター装置52は閉状態となっている。このように、溝Ｈを形成することによいり、薬剤Ｅを土中に散布することが可能となる。
【００３５】
カム56に回転によりシャッター装置52が開となると（図３参照）、図５(b) に示すように、薬剤Ｅはガイド筒60内を通って落下し、溝切り板51の背部に形成された散布ガイド部63により、溝切り板51に沿って溝Ｈ内に案内される。薬剤Ｅは溝Ｈを切った直後に同溝Ｈ内に散布されるので、確実に土中に入ることになる。
【００３６】
移植爪31とシャッター装置52とは同調して作動しており、図５(c) に示すように、シャッター装置52が閉状態となるとともに、薬剤Ｅが散布された個所に向けて移植爪31が突入する。
【００３７】
そして、図５(d) に示すように、植付爪31が開いてポット苗ａを放出し、植付爪31は上昇する。このときに、たとえ植付爪31の開動作により薬剤Ｅがはね飛ばされたとしても溝Ｈ内にあるので、薬剤Ｅは土中に確実に散布された状態を保持することができる。
【００３８】
次いで、図５(e) に示すように、覆土輪15により溝Ｈが埋められ、ポット苗ａの周りに薬剤Ｅは位置することになる。したがって、確実な薬効が期待できて、苗の成育を良好にすることができる。
【００３９】
【発明の効果】
本発明によれば、移植装置の前方に、覆土アームに取付けた溝切り板を配設するとともに、同溝切り板の上方に、先端部にシャッター装置を設けた薬剤供給用ホースを配設し、さらに、前記溝切り板の背部に、薬剤供給用ホースから落下する薬剤を前記溝切り板により形成された溝内に案内する散布ガイド部を形成したことにより、薬剤を確実に土中に散布することができ、植付爪により薬剤がはね飛ばされたりすることがない。
【００４０】
また、溝切り板を覆土アームに取付けているので、溝の深さが植付爪の土中への突入深さに連動し、苗に対して一様な深さで溝を切ることができるので薬剤はは苗の周りに確実に散布される。
【００４１】
以上のことから、薬剤による薬効が高くなり、苗の成育を良好にすることができる。
【図面の簡単な説明】
【図１】本発明に係る野菜移植機の側面図である。
【図２】同野菜移植機の平面図である。
【図３】施薬装置の説明図である。
【図４】散布ガイド部の説明図である。
【図５】施薬装置の作動説明図である。
【符号の説明】
Ｙ  野菜移植機
Ｅ  薬剤
Ｈ  溝
31  植付爪
51  溝切り板
52  シャッター装置
53  薬剤供給用ホース
63  散布ガイド部
【図１】
0003544248.tif 000002
【図２】
0003544248.tif 000003
【図３】
0003544248.tif 000004
【図４】
0003544248.tif 000005
【図５】
0003544248.tif 000006